(57)【要約】      （修正有）【課題】頭部イメージに基づき正確な分析結果を速かに提供して、医療陣が患者の予想手術部位を決定する役に立てる。【解決手段】頭部イメージ分析装置は、頭部イメージ上のランドマーク地点を抽出して分析イメージを生成する制御部、及び生成された分析イメージを記憶するメモリを含む。前記制御部は、前記ランドマーク地点の抽出のために学習イメージを獲得して学習した後、前記分析イメージを生成する。前記制御部は、前記頭部イメージを分析してランドマーク地点を識別し、識別されたランドマーク地点に対する検証を実行することによって前記ランドマーク地点を抽出する。【選択図】図４
2020006152.tif 000002
【特許請求の範囲】
【請求項１】
頭部イメージを分析するための装置であって、
頭部イメージ上のランドマーク地点を抽出して分析イメージを生成する制御部と、
生成された分析イメージを記憶するメモリとを含む、頭部イメージ分析装置。
【請求項２】
前記制御部は、
前記ランドマーク地点の抽出のために学習イメージを獲得して学習した後、前記分析イメージを生成する、請求項１に記載の頭部イメージ分析装置。
【請求項３】
前記制御部は、
前記頭部イメージを分析してランドマーク地点を識別し、識別されたランドマーク地点に対する検証を実行することによって前記ランドマーク地点を抽出する、請求項１に記載の頭部イメージ分析装置。
【請求項４】
前記制御部は、
前記頭部イメージに対する幾何学的演算によって第１地点を識別し、前記頭部イメージに対するマシンラーニングを実行することによって決定された第２地点に基づいて前記第１地点に対する検証を実行することによって前記ランドマーク地点を抽出する、請求項１に記載の頭部イメージ分析装置。
【請求項５】
前記制御部は、
前記頭部イメージに対するマシンラーニングを行って第１地点を識別し、前記頭部イメージに対する幾何学的演算によって決定された第２地点に基づいて前記第１地点に対する検証を実行することによって前記ランドマーク地点を抽出する、請求項１に記載の頭部イメージ分析装置。
【請求項６】
前記制御部は、
前記頭部イメージに対する関心領域を設定し、前記関心領域内の頭部イメージに対するマシンラーニングを行って第１地点を識別する、請求項１に記載の頭部イメージ分析装置。
【請求項７】
前記制御部は、
前記頭部イメージ上の前記関心領域周辺のイメージに基づいて幾何学的演算を行って前記関心領域を検証する、請求項６に記載の頭部イメージ分析装置。
【請求項８】
前記制御部は、
前記関心領域に対するマシンラーニングを行って前記関心領域を検証する、請求項６に記載の頭部イメージ分析装置。
【請求項９】
前記制御部は、
前記頭部イメージに対する幾何学的演算によって決定された第２地点に基づいて前記第１地点に対する検証を実行することによって前記ランドマーク地点を抽出する、請求項６に記載の頭部イメージ分析装置。
【請求項１０】
頭部イメージ分析装置が頭部イメージを分析する方法であって、
頭部イメージ上のランドマーク地点を抽出する段階と、
抽出したランドマーク地点に基づいて分析イメージを生成する段階とを含む、頭部イメージ分析方法。
【請求項１１】
前記ランドマーク地点を抽出する段階は、
前記頭部イメージを分析してランドマーク地点を識別する段階と、
識別されたランドマーク地点に対する検証を実行することによって前記ランドマーク地点を抽出する段階とを含む、請求項１０に記載の頭部イメージ分析方法。
【請求項１２】
前記ランドマーク地点を抽出する段階は、
前記頭部イメージに対する幾何学的演算によって第１地点を識別する段階と、
前記頭部イメージに対するマシンラーニングを実行することによって決定された第２地点に基づいて前記第１地点に対する検証を実行することによって前記ランドマーク地点を抽出する段階とを含む、請求項１０に記載の頭部イメージ分析方法。
【請求項１３】
前記ランドマーク地点を抽出する段階は、
前記頭部イメージに対するマシンラーニングを行って第１地点を識別する段階と、
前記頭部イメージに対する幾何学的演算によって決定された第２地点に基づいて前記第１地点に対する検証を実行することによって前記ランドマーク地点を抽出する段階とを含む、請求項１０に記載の頭部イメージ分析方法。
【請求項１４】
前記ランドマーク地点を抽出する段階は、
前記頭部イメージに対する関心領域を設定する段階と、
前記関心領域内の頭部イメージに対するマシンラーニングを行って第１地点を識別する段階とを含む、請求項１０に記載の頭部イメージ分析方法。
【請求項１５】
前記ランドマーク地点を抽出する段階は、
前記頭部イメージ上の前記関心領域周辺のイメージに基づいて幾何学的演算を行って前記関心領域を検証する段階をさらに含む、請求項１４に記載の頭部イメージ分析方法。
【請求項１６】
前記ランドマーク地点を抽出する段階は、
前記関心領域に対するマシンラーニングを行って前記関心領域を検証する段階をさらに含む、請求項１４に記載の頭部イメージ分析方法。
【請求項１７】
前記ランドマーク地点を抽出する段階は、
前記頭部イメージに対する幾何学的演算によって決定された第２地点に基づいて前記第１地点に対する検証を実行することによって前記ランドマーク地点を抽出する段階をさらに含む、請求項１４に記載の頭部イメージ分析方法。
【請求項１８】
請求項１０に記載の方法を行うプログラムが記録された、コンピュータ可読の記録媒体。
【請求項１９】
頭部イメージ分析装置によって実行され、請求項１０に記載の方法を実行するために媒体に記憶された、コンピュータプログラム。
【発明の詳細な説明】
【技術分野】
【０００１】
本明細書で開示する実施例は頭部イメージ分析装置及び方法に関し、より詳しくは、歯科、顎又は顔面整形手術用の、患者の頭部を計測したイメージを分析するための装置及び方法に関する。
【背景技術】
【０００２】
歯科、又は両顎及び顔面整形手術のために、患者の頭蓋又は顔面を分析した資料が必要である。このため、従来、医師が前記手術を行う前に、Ｘ線機器又はコンピュータ断層スキャン（ＣＴ）診断機器で患者の頭部を撮影したイメージを医療陣が分析し、分析されたファイルから患者の予想手術部位を決定している。ここで、医療陣は前記イメージに主要地点をマーキングする方式で分析する。このように分析する方法は長期間にわたって蓄積された医療陣の経験によっている。
【０００３】
ただ、このような方法は医療陣が直接地点を選定しなければならないため、実時間で分析資料を得ることができず、医療陣が患者に正確な診断結果を提示するまでに長い時間がかかるという問題点がある。また、前記方法は、医療陣の経験によっているため、熟練していない医療陣が地点を選定する場合、地点を誤って選定して歪曲した分析資料を作り、誤った分析資料に基づいて手術するために問題が発生するという問題点がある。
【０００４】
これに関連して、先行技術文献である特許文献１では、患者の医療診察結果などの全ての情報をデジタル化し、医師は家やオフィスなど、インターネット接続が可能な場所で楽に診療することができる内容について開示しているのみであり、医学関連イメージを分析した結果を医療陣に提供して向上した医療サービスを医療陣が患者に提供することができるようにする内容については開示していない。したがって、前述した問題点を解決するための技術が必要になった。
【０００５】
一方、前述した背景技術は発明者が本発明の導出のために保有していたか、本発明の導出過程で習得した技術情報で、必ずしも本発明の出願前に一般公衆に公開された公知の技術であるとは言えない。
【先行技術文献】
【特許文献】
【０００６】
【特許文献１】韓国特許公開第１０−２０００−００５４０６２号公報
【発明の概要】
【発明が解決しようとする課題】
【０００７】
本明細書で開示する実施例は頭部イメージ分析装置及び方法を提示することに目的がある。
【０００８】
また、本明細書で開示する実施例は頭部イメージに基づいて正確な分析結果を提供することに他の目的がある。
【０００９】
また、本明細書で開示する実施例は頭部イメージを分析した結果を速かに提供することにさらに他の目的がある。
【００１０】
また、本明細書で開示する実施例は頭部イメージを分析した結果を一度加工することによって医療陣はもちろんのこと患者が理解しやすいレポートを提供することにさらに他の目的がある。
【課題を解決するための手段】
【００１１】
上述した技術的課題を達成するための技術的手段は、一実施例によれば、頭部イメージを分析するための装置であって、頭部イメージ上のランドマーク地点を抽出して分析イメージを生成する制御部と、生成された分析イメージを記憶するメモリとを含むことができる。
【００１２】
上述した技術的課題を達成するための技術的手段は、他の実施例によれば、頭部イメージ分析装置が頭部イメージを分析する方法であって、頭部イメージ上のランドマーク地点を抽出する段階と、抽出されたランドマーク地点に基づいて分析イメージを生成する段階とを含むことができる。
【００１３】
上述した技術的課題を達成するための技術的手段は、さらに他の実施例によれば、頭部イメージ分析方法を行うプログラムが記録されたコンピュータ可読の記録媒体であってもよく、前記頭部イメージ分析方法は、頭部イメージ上のランドマーク地点を抽出する段階と、抽出されたランドマーク地点に基づいて分析イメージを生成する段階とを含むことができる。
【００１４】
上述した技術的課題を達成するための技術的手段は、さらに他の実施例によれば、頭部イメージ分析装置によって実行され、頭部イメージ分析方法を実行するために媒体に記憶されたコンピュータプログラムであってもよく、前記頭部イメージ分析方法は、頭部イメージ上のランドマーク地点を抽出する段階と、抽出されたランドマーク地点に基づいて分析イメージを生成する段階とを含むことができる。
【発明の効果】
【００１５】
前述した課題解決手段のいずれか一つによれば、頭部イメージ分析装置及び方法を提示することができる。
【００１６】
前述した課題解決手段のいずれか一つによれば、頭部イメージに基づき正確な分析結果を提供して、医療陣が患者の予想手術部位を決定する役に立つことができる。
【００１７】
前述した課題解決手段のいずれか一つによれば、頭部イメージを分析した結果を速かに提供することによって必要な手術が延ばされることを防止することができる。
【００１８】
前述した課題解決手段のいずれか一つによれば、頭部イメージを分析した結果を一度加工することにより、医療陣はもちろんのこと患者が理解しやすいレポートを提供することができる。
【００１９】
開示する実施例から得られる効果は以上で言及した効果に制限されず、言及しなかった他の効果は下記の記載によって開示される実施例が属する技術分野で通常の知識を有する者に明らかに理解可能であろう。
【図面の簡単な説明】
【００２０】
【図１】一実施例によるイメージ分析装置を示すブロック図である。
【図２】一実施例によるイメージ分析装置を示すブロック図である。
【図３】一実施例によるイメージ分析装置を説明するための例示図である。
【図４】一実施例によるイメージ分析方法を説明するためのフローチャートである。
【図５】一実施例によるイメージ分析方法を説明するためのフローチャートである。
【図６】一実施例によるイメージ分析方法を説明するためのフローチャートである。
【図７】一実施例によるイメージ分析方法を説明するための例示図である。
【図８】一実施例によるイメージ分析方法を説明するための例示図である。
【発明を実施するための形態】
【００２１】
以下では添付図面に基づいて多様な実施例を詳細に説明する。以下で説明する実施例は様々な相異なる形態に変形されて実施されることもできる。実施例の特徴をより明確に説明するために、以下の実施例が属する技術分野で通常の知識を有する者に広く知られている事項についての詳細な説明は省略する。そして、図面で実施例の説明に関係ない部分は省略し、明細書全般にわたって類似の部分に対しては類似の図面符号を付けた。
【００２２】
明細書全般にわたって、ある構成が他の構成と“連結”されていると言うとき、これは直接的に連結されている場合だけではなく、その中間にさらに他の構成を挟んで連結されている場合も含む。また、ある構成が他の構成を“含む”と言うとき、これは特に反対の記載がない限り、他の構成を除くものではなく他の構成をさらに含むこともできることを意味する。
【００２３】
以下、添付図面に基づいて実施例を詳細に説明する。
【００２４】
実施例の説明に先立ち、以下で使われる用語の意味を先に定義する。
【００２５】
「頭部イメージ」は、患者の頭蓋又は顔面を撮影したイメージであり、これは頭部観察又は頭部計測に用いられることができ、例えば頭部の解剖学的部位の位置又は頭部の解剖学的位置間の寸法を示すことができる。
【００２６】
頭部イメージは、通常患者の頭部の正面又は側面を放射線撮影又はコンピュータ断層スキャン（ＣＴ）で診断した写真であってもよいが、頭部イメージの獲得方法は上述した例に制限されない。また、頭部イメージは２次元イメージ及び３次元イメージのいずれも可能である。
【００２７】
以上で定義した用語以外に説明が必要な用語は以下でそれぞれ別に説明する。
【００２８】
図１及び図２は一実施例によるイメージ分析装置を説明するためのブロック図である。
【００２９】
イメージ分析装置１００は獲得された頭部イメージに対して識別イメージを結合した分析イメージを生成することができる。
【００３０】
このようなイメージ分析装置１００は、電子端末機によって具現されることができるか又はサーバークライアントシステム（又はクラウドシステム）によって具現されることができる。前記システムは使用者とのインタラクションのためのオンラインサービス用アプリケーションが組み込まれた電子端末機を含むことができる。
【００３１】
ここで、電子端末機は、ネットワークを介して遠隔地のサーバーに接続するか、他の端末及びサーバーと連結可能なコンピュータや携帯用端末機、テレビ、ウェアラブルデバイス（Ｗｅａｒａｂｌｅ  Ｄｅｖｉｃｅ）などによって具現されることができる。ここで、コンピュータは、例えばウェブブラウザー（ＷＥＢ  Ｂｒｏｗｓｅｒ）が搭載されたノートブック型パソコン、デスクトップ（ｄｅｓｋｔｏｐ）、ラップトップ（ｌａｐｔｏｐ）などを含み、携帯用端末機は、例えば携帯性及び移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）、スマートフォン（Ｓｍａｒｔ  Ｐｈｏｎｅ）、モバイルＷｉＭＡＸ（Ｍｏｂｉｌｅ  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などの全種類のハンドヘルド（Ｈａｎｄｈｅｌｄ）に基づく無線通信装置を含むことができる。また、テレビはＩＰＴＶ（Ｉｎｔｅｒｎｅｔ  Ｐｒｏｔｏｃｏｌ  Ｔｅｌｅｖｉｓｉｏｎ）、インターネットＴＶ（Ｉｎｔｅｒｎｅｔ Ｔｅｌｅｖｉｓｉｏｎ）、地上波ＴＶ、ケーブルＴＶなどを含むことができる。さらに、ウェアラブルデバイスは、例えば時計、めがね、アクセサリー、衣服、履物など、人体に直接着用可能なタイプの情報処理装置であって、直接又は他の情報処理装置を介してネットワークを経由して遠隔地のサーバーに接続するか他の端末と連結することができる。
【００３２】
一実施例による頭部イメージ分析装置１００は、制御部１１０及びメモリ１２０を含むことができる。
【００３３】
制御部１１０は頭部イメージ分析装置１００の全体動作を制御し、ＣＰＵなどのプロセッサを含むことができる。制御部１１０は、例えば入出力部１３０を介して受信した使用者入力に対応する動作を実施するように、頭部イメージ分析装置１００に含まれた他の構成を制御することができる。
【００３４】
例えば、制御部１１０は、メモリ１２０に記憶されたプログラムを実行させるか、メモリ１２０に記憶されたファイルを読み取るか、新しいファイルをメモリ１２０に記憶することもできる。
【００３５】
本明細書に記載された一実施例によれば、制御部１１０は頭部イメージを獲得することができる。
【００３６】
例えば、制御部１１０は、頭部の放射線撮影又はコンピュータ断層スキャン診断が可能な装置（図示せず）を含むか、前記装置と通信することによって前記装置から頭部イメージを獲得することができる。
【００３７】
また、他の実施例によれば、制御部１１０は、獲得したイメージに対する前処理を実行した後、前処理されたイメージを頭部イメージとして獲得したと決定することができる。
【００３８】
例えば、制御部１１０は、獲得したイメージに対してＣＬＡＨＥパラメーターを適用するか、ガウスブラー（Ｇａｕｓｓｉａｎ  Ｂｌｕｒ）を適用するか、ワーピング（ｗａｒｐｉｎｇ）を適用することができ、あるいはＸ軸及び／又はＹ軸にスケーリング（ｓｃａｌｅ）するか学習イメージを縮小又はクロップ（ｃｒｏｐ）するか、画素値などを変更して解像度を高めることによってイメージに対する前処理を実行することができる。
【００３９】
また、他の実施例によれば、制御部１１０は、獲得したイメージがローイメージ（ｒａｗ  ｉｍａｇｅ）の場合、ローイメージから頭部イメージを獲得することができる。このために、制御部１１０はローイメージに対する前処理を実行することができる。
【００４０】
これに関連して、ローイメージは頭部イメージを含むイメージであって、例えば患者の上体を撮ったｘ−ｒａｙイメージのように頭部イメージを含めて患者の他の身体部位がともに撮れたイメージであってもよい。
【００４１】
制御部１１０は、ローイメージ上の所定の領域内に所定の識別子が位置しているかを探索することができる。例えば、ローイメージ上の所定の領域内に「眼窩」と認識される識別子が位置するかを探索することができる。ここで、頭部イメージ分析装置１００は、任意のサイズ及び形状を有する閉曲線形のウィンドウがローイメージ上に位置するとき、前記ウィンドウ内の領域を所定の領域に設定することができ、前記ウィンドウはローイメージ上で移動しながら多様な範囲の領域を設定することができる。
【００４２】
また、例えば、頭部イメージ分析装置１００は、ウィンドウ内の所定の領域内に所定の識別子が位置するかを探索するために、マシンラーニング（又はディープラーニング又はＣＮＮ）を用いることができる。例えば、頭部イメージ分析装置１００は、所定の領域に対してＣＮＮを行って前記領域内の識別子が位置する座標を抽出することができる。前記座標は一つ以上の座標からなることができ、所定の領域内の座標であってもよく、ローイメージ上の座標であってもよい。
【００４３】
このようにローイメージ上の所定の識別子に対する座標を抽出した制御部１１０は、抽出した座標に基づいて頭部イメージを獲得することができる。
【００４４】
例えば、制御部１１０は、ローイメージから頭部イメージとして特定することができる「眼窩」、「下顎骨」及び「鼻腔」の３個の識別子を抽出することができる。３個の識別子を抽出するために、制御部１１０はウィンドウを移動させながら識別子に対応する座標を抽出することができる。そして、抽出された座標に基づいて頭部イメージと判断される領域をローイメージ上に設定することにより、制御部１１０は頭部イメージを獲得することができる。例えば、頭部イメージ分析装置１００は、前記３個の識別子を含むとともに各識別子から所定の範囲を含む領域を頭部イメージに設定することができる。
【００４５】
ここで、識別子が３個であることは例示であり、識別子の個数は制限されない。これに関連して、識別子は一座標からなることができるが、複数の座標からなる身体の特定器官であってもよい。したがって、識別子は、例えば「眼窩」の中心地点であってもよいが、「眼窩」、「鼻」、「脊椎１番」などの身体器官そのものであってもよい。
【００４６】
獲得した頭部イメージに対して追加的に規格化処理することにより、制御部１１０はランドマーク地点の抽出が容易になるように頭部イメージを加工することができる。すなわち、制御部１１０は、学習イメージで学習することにより、学習イメージに対して設定された設定値と同一又は類似の頭部イメージを規格化処理することができる。例えば、頭部イメージ分析装置１００は、頭部イメージの解像度、明るさなどを変更するか頭部イメージのサイズを拡大／縮小させるなどの規格化処理を実行することができる。制御部１１０は、規格化処理が完了した後の頭部イメージを、獲得した頭部イメージに決定することができる。
【００４７】
上述したように、頭部イメージを獲得したと判断されれば、制御部１１０は、頭部イメージ上のランドマーク地点を抽出することができる。
【００４８】
ここで、「ランドマーク地点」は歯牙校正、顎手術などを医療陣が実行するために知らなければならない地点であって、患者の頭部イメージ上に識別された関心地点を指す。ランドマーク地点は多様に組み合わせられ、患者の頭部状態を判断するのに参照地点として用いられ、従来技術によれば熟練した医療陣が頭部イメージに直接ランドマーク地点を選定して表示するが、本発明によれば頭部イメージ分析装置１００が頭部イメージ上のランドマーク地点を抽出することができる。
【００４９】
一実施例によれば、制御部１１０は、頭部イメージ上のランドマーク地点を幾何学的演算によって抽出することができる。すなわち、頭部イメージ上に特徴点がないランドマーク地点又は幾何学的に定義されているランドマーク地点の場合、幾何学的演算によって抽出することができる。例えば、下顎平面（ｍａｎｄｉｂｕｌａｒ  ｐｌａｎｅ）と下顎枝（ｒａｍｕｓ）の二等分点を演算して導出した地点を下顎角点（ｇｏｎｉｏｎ）のランドマーク地点として抽出することができる。
【００５０】
さらに他の実施例によれば、制御部１１０は、マシンラーニングを用いて頭部イメージ上のランドマーク地点を抽出することができる。
【００５１】
他の実施例によれば、制御部１１０は、ディープラーニングを用いて頭部イメージ上のランドマーク地点を抽出することができる。
【００５２】
他の実施例によれば、制御部１１０は、ＣＮＮ（ｃｏｎｖｏｌｕｔｉｏｎａｌ  ｎｅｕｒａｌ  ｎｅｔｗｏｒｋ）を用いて頭部イメージ上のランドマーク地点を抽出することができる。このために、頭部イメージ分析装置１００は、ランドマーク地点が表示した頭部イメージを一つ以上獲得することができ、前記一つ以上のイメージを用いてＣＮＮを学習させ、学習されたＣＮＮを用いて頭部イメージ上のランドマーク地点を抽出することができる。
【００５３】
このために、制御部１１０は、例えばＣＮＮの学習のために獲得したイメージからコンボリューション（ｃｏｎｖｏｌｕｔｉｏｎ）によって特徴マップ（ｆｅａｔｕｒｅ  ｍａｐ）を作り、前記特徴マップに対するサブサンプリング（ｓｕｂｓａｍｐｌｉｎｇ）によって獲得した局所的特徴（ｌｏｃａｌ  ｆｅａｔｕｒｅ）に対してコンボリューション及びサブサンプリングを行い、獲得した特徴に対して再びコンボリューション及びサブサンプリングを行って特徴を獲得し、前記獲得した特徴に対して再びコンボリューション及びサブサンプリングを行う段階を繰り返し行って、獲得したグローバル特徴（ｇｌｏｂａｌ  ｆｅａｔｕｒｅ）を一般的なニューラルネットワーク（ｆｕｌｌｙ  ｃｏｎｎｅｃｔｅｄ  ｎｅｔｗｏｒｋ）の入力として連結させて最適の認識結果を出すようにすることができる。
【００５４】
すなわち、制御部１１０は、上述したように頭部イメージ上のランドマーク地点を抽出するために、ランドマーク地点が表示した（又はランドマーク地点に識別イメージが結合された）学習イメージを用いて学習することができる。上述したＣＮＮ学習のために、学習イメージに対して前処理を実行することができ、例えば学習イメージに対してＣＬＡＨＥパラメーターを適用するか、ガウスブラーを適用するか、ワーピングを適用することができ、あるいはＸ軸及び／又はＹ軸にスケーリングするか学習イメージを縮小又はクロップするか、画素値などを変更することによって解像度を高めることができる。
【００５５】
また、制御部１１０は、例えばＣＮＮを用いてセグメンテーション（ｓｅｇｍｅｎｔａｔｉｏｎ）を実行することによって頭部イメージ上のランドマーク地点を抽出することができる。セグメンテーションは頭部イメージ上の意味ある部分を抽出する技法であり、公知の多様な方法のセグメンテーションがこの明細書に記載した実施例に適用可能である。例えば、ヒストグラムを用いてピクセルの分布を確認した後、適正な臨界値を設定してピクセル別に区分することができ、あるいは意味あるエッジ（ｅｄｇｅ）を抽出して区分することができ、また、同質性（ｈｏｍｅｇｅｎｅｔｙ）を持っている領域に区分することができる。
【００５６】
さらに他の実施例によれば、制御部１１０は、頭部イメージ上の関心領域を設定し、関心領域内のランドマーク地点を抽出することができる。関心領域の設定のために、頭部イメージ分析装置１００はマシンラーニング（又はディープラーニング又はＣＮＮ）を用いることができ、また前記関心領域内のランドマーク地点を抽出するために、マシンラーニング（又はディープラーニング又はＣＮＮ）を用いることができる。
【００５７】
これに関連して、図３は頭部イメージ分析装置１００が頭部イメージ上の関心領域を設定し、ランドマーク地点を抽出することを説明するための例示図である。
【００５８】
図３の（ａ）に示したように、頭部イメージ分析装置１００は、頭部イメージ３００上の関心領域３１０、３２０、３３０、３４０、３５０を一つ以上設定することができ、関心領域のそれぞれは互いに異なる形状又はサイズを有するか、互いに同じ形状サイズを有することができる。
【００５９】
関心領域３１０、３２０、３３０、３４０、３５０を設定するとき、頭部イメージ分析装置１００は、医学的に主要地点と判断される領域をマシンラーニングを用いて検出（ｄｅｔｅｃｔｉｏｎ）することができる。すなわち、マシンラーニングで関心対象の位置を識別して境界ボックス（ｂｏｕｎｄｉｎｇ  ｂｏｘ）に区分することができる。例えば、頭部イメージ分析装置１００は、「顎」と判断される領域をマシンラーニングで検出することができ、顎を含む領域を関心領域に設定することができる。検出に係る公開の技術はこの明細書に記載した実施例に適用することができる。また、関心領域３１０、３２０、３３０、３４０、３５０を設定するとき、頭部イメージ分析装置１００は、頭部イメージ３００上にウィンドウを位置させたとき、ウィンドウ内の領域を関心領域に設定することができる。よって、頭部イメージ分析装置１００は、ウィンドウを移動させながら関心領域を変更するか、前記ウィンドウを固定位置に位置させることによって指定範囲の領域を関心領域に設定することができる。
【００６０】
ここで、図３の（ａ）に示したように、実線内の関心領域と前記関心領域内の点線で区画された下位関心領域に区分することができる。下位関心領域はランドマーク地点を獲得するための主要地点と判断される領域であり、例えば一主要地点として下顎角点、又は下顎角点周辺の領域を下位関心領域に設定することができ、前記下位関心領域の中点を基準に前記下位関心領域を取り囲むことができる関心領域をさらに設定することができる。これにより、関心領域を誤って設定することによるランドマーク地点抽出のエラーを最小化してランドマーク地点をより正確に取ることができる。
【００６１】
このように、選定された関心領域に対してランドマーク地点を抽出することができる。すなわち、ランドマーク地点として抽出されなければならない地点に対する学習モデルがあり、前記モデルでセグメンテーション（ｓｅｇｍｅｎｔａｔｉｏｎ）を行って確率イメージマップを生成し、生成された確率マップでブロブ（ｂｌｏｂ）を設定し、ブロブの中点をランドマーク地点として抽出することができる。このようなランドマーク地点の抽出は各関心領域３１０、３２０、３３０、３４０、３５０に対して行うことができる。例えば、抜粋して示した図３の（ａ）の関心領域３１０に対し、図３の（ｂ）の関心領域３１１上に示したようにランドマーク地点を抽出することができ、上述したように抽出されたランドマーク地点は高水準の正確度を有することができる。
【００６２】
上述したように、頭部イメージ上の主要分析対象となる部分をマシンラーニング（又はディープラーニング又はＣＮＮ）を用いて関心領域に設定し、関心領域内のランドマーク地点を抽出することができる。その結果、頭部イメージの角度又は位置が整列されなかったときにランドマーク地点の抽出が難しい問題点を解決して早くて正確にランドマーク地点を抽出することができるようにする。
【００６３】
一方、他の実施例によれば、制御部１１０は、抽出しようとするランドマーク地点に対して、マシンラーニング（又はディープラーニング又はＣＮＮ）を用いて抽出し、また幾何学的演算で抽出することができる。したがって、例えばランドマーク地点として下顎角点を抽出しようとするとき、制御部１１０はマシンラーニングと幾何学的演算のそれぞれによって抽出された地点の中で一地点を下顎角点に決定することができる。例えば、制御部１１０は、マシンラーニングを用いて抽出したランドマーク地点の信頼度が所定値以下の場合、幾何学的演算で獲得した地点を下顎角点として抽出することができる。
【００６４】
さらに他の実施例によれば、制御部１１０は、ランドマーク地点を抽出しようとするとき、マシンラーニング（又はディープラーニング又はＣＮＮ）を用いて抽出したとき、抽出された地点に対して幾何学的演算でも検証することができる。
【００６５】
ここで、マシンラーニングによって抽出されたランドマーク地点が幾何学的演算で抽出された地点と同じ位置であるかを判断して検証することができる。また、マシンラーニングで抽出されたランドマーク地点の周辺地点又は器官構造が位置するかを幾何学的に演算して検証することができる。この過程でベイジアン（Ｂａｙｅｓｉａｎ）（又はｌｉｋｅｌｉｈｏｏｄ  ｍａｘｉｍｉｚａｔｉｏｎ方式）を用いてランドマーク地点の周辺地点又は器官構造に対応する地点との相対的な位置に対する信頼度を求めることができる。例えば、外耳道の上縁中央点（Ｐｏｒ；ｐｏｒｉｏｎ）として抽出されたランドマーク地点が、後頭蓋底（ｐｏｓｔｅｒｉｏｒ  ｃｒａｎｉａｌ  ｂａｓｅ  ｓｕｒｆａｃｅ）と顎状頭頸部（ｃｏｎｄｙｌａｒ  ｈｅａｄ  ｏｒ  ｎｅｃｋ）の交点（Ａｒ；ａｒｔｉｃｕｌａｒｅ）の左側上端に位置しているかを検証し、それによる結果を信頼度で表現することができる。また、マシンラーニングで抽出されたランドマーク地点のサイズを幾何学的に演算して検証することができる。また、マシンラーニングに抽出されたランドマーク地点の周辺に、特定の地点又は器官構造が位置するかを特定地点のサイズ（他の地点との相対的なサイズ又は絶対的なサイズのいずれも含む）又は器官構造のサイズ（他の器官との相対的なサイズ又は絶対的なサイズのいずれも含む）を演算することによって検証することができる。
【００６６】
さらに他の実施例によれば、制御部１１０は、抽出しようとするランドマーク地点を幾何学的演算で抽出し、抽出された地点をマシンラーニング（又はディープラーニング又はＣＮＮ）を用いて検証することができる。
【００６７】
例えば、制御部１１０は下顎平面（ｍａｎｄｉｂｕｌａｒ  ｐｌａｎｅ）と下顎枝（ｒａｍｕｓ）の二等分点を演算して導出した地点を下顎角点（ｇｏｎｉｏｎ）のランドマーク地点として抽出することによって下顎角点を幾何学的に抽出し、抽出された地点を中心にマシンラーニングによる分析を行うことで、抽出された地点が下顎角点であるかどうかを検証することができる。
【００６８】
追加的に、制御部１１０は関心領域を正しく設定したかを、マシンラーニング（又はディープラーニング又はＣＮＮ）又は幾何学的演算で検証することができる。例えば、制御部１１０はマシンラーニングの検出（ｄｅｔｅｃｔｉｏｎ）で抽出した関心領域が意図した関心領域であるかを前記関心領域のイメージの分類（ｃｌａｓｓｉｆｉｃａｔｉｏｎ）によって検証するか信頼度として表現することができる。もしくは、例えば制御部１１０はマシンラーニングの検出で抽出した関心領域が意図した関心領域であるかを前記関心領域周辺の地点又は器官構造で検証することができる。
【００６９】
上述したように、マシンラーニングと幾何学的演算を一緒に行うことによって抽出されたランドマーク地点に対する正確性及び信頼性を高めることができる。一方、制御部１１０は、上述したように、頭部イメージ上のランドマーク地点を抽出すれば、ランドマーク地点に識別イメージを結合して分析イメージを生成することができる。
【００７０】
すなわち、制御部１１０は、頭部イメージを分析イメージに変更するとき、頭部イメージ上に識別イメージを合成することができ、前記識別イメージの合成時、ランドマーク地点に識別イメージを合成することができる。
【００７１】
一方、制御部１１０は、分析イメージを使用者に提供することができる。追加的に、制御部１１０は、分析イメージを含むレポートを提供するかを決定することができる。
【００７２】
この際、一実施例によれば、制御部１１０は、分析イメージそのものがレポートの一部を構成するようにレポートを生成して提供することができる。
【００７３】
さらに他の実施例によれば、制御部１１０は、分析イメージを加工したレポートを提供することができる。
【００７４】
一方、メモリ１２０には、ファイル、アプリケーション及びプログラムなどの多様な種類のデータが組み込まれるか記憶されることができる。制御部１１０は、メモリ１２０に記憶されたデータにアクセスしてこれを用いるか、あるいは新しいデータをメモリ１２０に記憶することもできる。また、制御部１１０は、メモリ１２０に組み込まれたプログラムを実行することもできる。図１を参照すれば、メモリ１２０には、頭部イメージを分析する方法を実行するためのコンピュータ可読のプログラムが組み込まれることができる。また、メモリ１２０には、頭部イメージ分析を実行するための識別イメージ、頭部イメージ分析の実行による分析イメージ又はレポートが記憶されることができる。
【００７５】
一実施例によれば、使用者から頭部イメージの分析を要請する入力を受信すれば、制御部１１０は、メモリ１２０に記憶された頭部イメージ分析方法を実行するためのプログラムを実行させて頭部イメージ分析を実行する。
【００７６】
一方、図２に示したように、頭部イメージ分析装置１００は、入出力部１３０をさらに含むことができる。
【００７７】
入出力部１３０は、頭部イメージを獲得するか分析イメージを使用者に提供するための多様な形態の入出力を支援する構成を含むことができ、使用者からの入力を受信するための入力部と、作業の実行結果又は頭部イメージ分析装置１００の状態などの情報を表示するための出力部とを含むことができる。例えば、入出力部１３０は、使用者の入力を受信する操作パネル（ｏｐｅｒａｔｉｏｎ  ｐａｎｅｌ）及び画面を表示するディスプレイパネル（ｄｉｓｐｌａｙ  ｐａｎｅｌ）などを含むことができる。
【００７８】
具体的に、入力部は、キーボード、物理ボタン、タッチスクリーン、カメラ又はマイクなどの多様な形態の使用者入力を受信可能な装置を含むことができる。また、出力部は、ディスプレイパネル又はスピーカーなどを含むことができる。ただ、これに限定されないが、入出力部１３０は多様な入出力を支援する構成を含むことができる。
【００７９】
一方、頭部イメージ分析装置１００は、通信部１４０をさらに含むことができる。
【００８０】
通信部１４０は、他のデバイス又はネットワークと有無線通信を実行することができる。このために、通信部１４０は多様な有無線通信方法の少なくとも一つを支援する通信モジュールを含むことができる。例えば、通信モジュールはチップセット（ｃｈｉｐｓｅｔ）の形態に具現されることができる。
【００８１】
通信部１４０が支援する無線通信は、例えばＷｉ−Ｆｉ（Ｗｉｒｅｌｅｓｓ  Ｆｉｄｅｌｉｔｙ）、Ｗｉ−Ｆｉ  Ｄｉｒｅｃｔ、ブルートゥース（登録商標）（Ｂｌｕｅｔｏｏｔｈ（登録商標））、ＵＷＢ（Ｕｌｔｒａ  Ｗｉｄｅ  Ｂａｎｄ）又はＮＦＣ（Ｎｅａｒ  Ｆｉｅｌｄ  Ｃｏｍｍｕｎｉｃａｔｉｏｎ）などであってもよい。また、通信部１４０が支援する有線通信は、例えばＵＳＢ又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）などであってもよい。
【００８２】
図４〜図６は一実施例によるイメージ分析方法を説明するためのフローチャートである。
【００８３】
図４〜図６に示した実施例によるイメージ分析方法は、図１又は図２に示した頭部イメージ分析装置１００で時系列的に処理する段階を含む。よって、以下で省略した内容であると言っても、図１又は図２に示した頭部イメージ分析装置１００について以上で記述した内容は図４〜図６に示した実施例によるイメージ分析方法にも適用することができる。
【００８４】
図４〜図６は図７及び図８を参照して以下で後述する。図７及び図８は一実施例によるイメージ分析方法を説明するための例示図である。
【００８５】
頭部イメージ分析装置１００は、本発明の一実施例による頭部イメージ分析方法を実行するために、ランドマーク地点が表示された学習イメージを用いて学習することができる。この際、頭部イメージ分析装置１００は、学習のための学習イメージに対して前処理を実行することができ、例えば学習イメージに対してＣＬＡＨＥパラメーター適用するか、ガウスブラーを適用するか、ワーピングを適用することができ、あるいはＸ軸及び／又はＹ軸にスケーリング（ｓｃａｌｅ）するか学習イメージを縮小又はクロップ（ｃｒｏｐ）するか、画素値を変更するか、解像度を高めることができる。前処理された学習イメージを用いて学習した頭部イメージ分析装置１００は、頭部イメージからランドマーク地点を抽出することができる。
【００８６】
図４に示したように、頭部イメージ分析装置１００は頭部イメージを獲得することができる（Ｓ４１０）。
【００８７】
頭部イメージ分析装置１００が頭部の放射線撮影又はコンピュータ断層スキャン診断が可能な装置（図示せず）を含むか前記装置と通信しているので、前記装置を介して頭部イメージを獲得することができる。
【００８８】
また、頭部イメージ分析装置１００は、外部の装置（図示せず）を介してイメージを受信することができ、受信されたイメージを頭部イメージとして獲得することができる。
【００８９】
これに関連して、頭部イメージ分析装置１００は、イメージを獲得したとき、獲得したイメージが頭部イメージであるかを決定することができる。
【００９０】
すなわち、一実施例によれば、頭部イメージ分析装置１００は、獲得したイメージが頭部イメージであるかを判断し、頭部イメージと判断される場合に限り、頭部イメージを獲得したと決定することができる。
【００９１】
例えば、獲得したイメージを分析して、頭部を構成するイメージが含まれていない場合、前記イメージが頭部イメージではないと判断することができる。すなわち、例えば、獲得したイメージを分析して、歯牙イメージが含まれていない場合、前記イメージは頭部イメージではないと判断することができる。
【００９２】
また、さらに他の実施例によれば、頭部イメージ分析装置１００は、獲得したイメージが頭部イメージとして分析可能であるかを判断し、分析可能であると判断される場合に限り、頭部イメージを獲得したと決定することができる。
【００９３】
例えば、頭部イメージ分析装置１００は、獲得したイメージの解像度、サイズなどを分析することによって分析可否を判断することができる。したがって、例えば、獲得したイメージが所定解像度より低い解像度を有するか所定サイズより小さなサイズの場合、前記イメージは分析が難しいと判断し、頭部イメージを獲得することができなかったと決定することができる。
【００９４】
また、他の実施例によれば、頭部イメージ分析装置１００は、獲得したイメージに対する前処理を実行した後、前処理されたイメージを頭部イメージに決定することができる。
【００９５】
例えば、頭部イメージ分析装置１００は、獲得したイメージが所定の基準を満たすことができないと判断されれば、前記基準を満たすようにイメージを修正するか他のイメージと合成することができる。例えば、頭部イメージ分析装置１００は、獲得されたイメージの解像度を高めるか明度を調整するかサイズをふやすか縮めるなどの前処理を実行することができる。
【００９６】
さらに他の実施例によれば、頭部イメージ分析装置１００は、獲得したイメージがローイメージの場合、ローイメージから頭部イメージを獲得することができる。
【００９７】
さらに他の実施例によれば、頭部イメージ分析装置１００は、獲得した頭部イメージに対してさらに規格化処理を行うことができる。頭部イメージ分析装置１００は、規格化処理が完了した後の頭部イメージを、獲得した頭部イメージに決定することができる。
【００９８】
上述したように、頭部イメージを獲得したと判断されれば、頭部イメージ分析装置１００は、頭部イメージ上のランドマーク地点を抽出することができる（Ｓ４２０）。
【００９９】
例えば、頭部イメージ分析装置１００は、頭部イメージ上のランドマーク地点を幾何学的演算によって抽出することができる。もしくは、例えば、頭部イメージ分析装置１００は、頭部イメージ上のランドマーク地点をマシンラーニング、ディープラーニング、又はＣＮＮを用いて抽出することができる。
【０１００】
もしくは、例えば、頭部イメージ上の関心領域を抽出し、関心領域内のランドマーク地点を抽出することができる。関心領域抽出のために、頭部イメージ分析装置１００は、マシンラーニング、ディープラーニング又はＣＮＮを用いることができ、また前記関心領域内のランドマーク地点を抽出するために、マシンラーニング、ディープラーニング、又はＣＮＮを用いることができる。
【０１０１】
これに関連して、段階Ｓ４２０は、図５に示したように、頭部イメージを分析して第１地点を識別すれば（Ｓ５１０）、第２地点に基づいて第１地点を検証し、第１地点が正しく抽出されたと判断されれば、第１地点をランドマーク地点に決定することができる（Ｓ５２０）。
【０１０２】
この際、第１地点及び第２地点のそれぞれは、頭部イメージ上の一地点を指して互いに区分するための名称であって、特定の地点を指すものではない。
【０１０３】
一実施例によれば、頭部イメージ分析装置１００は、頭部イメージ上でランドマーク地点と推測される第１地点を多様な実施例によって識別することができる。
【０１０４】
一実施例によれば、頭部イメージ分析装置１００は、頭部イメージ上のランドマーク地点と推測される第１地点を幾何学的演算によって抽出することができる。すなわち、頭部イメージ上に特徴点がないランドマーク地点又は幾何学的に定義されているランドマーク地点の場合、幾何学的演算によって抽出することができる。例えば、下顎平面（ｍａｎｄｉｂｕｌａｒ  ｐｌａｎｅ）と下顎枝（ｒａｍｕｓ）の二等分点を演算して導出した第１地点を下顎角点（ｇｏｎｉｏｎ）のランドマーク地点として抽出することができる。
【０１０５】
さらに他の実施例によれば、頭部イメージ分析装置１００は、マシンラーニングを用いて頭部イメージ上のランドマーク地点と推測される第１地点を抽出することができる。
【０１０６】
他の実施例によれば、頭部イメージ分析装置１００は、ディープラーニングを用いて頭部イメージ上のランドマーク地点と推測される第１地点を抽出することができる。
【０１０７】
他の実施例によれば、頭部イメージ分析装置１００は、ＣＮＮを用いて頭部イメージ上のランドマーク地点と推測される第１地点を抽出することができる。このために、頭部イメージ分析装置１００は、ランドマーク地点が表示された頭部イメージを一つ以上獲得することができ、前記一つ以上のイメージとＣＮＮを用いて頭部イメージ上のランドマーク地点を抽出することができる。
【０１０８】
このために、頭部イメージ分析装置１００は、例えば、ＣＮＮの学習のために獲得したイメージからコンボリューション（ｃｏｎｖｏｌｕｔｉｏｎ）によって特徴マップ（ｆｅａｔｕｒｅ  ｍａｐ）を作り、前記特徴マップに対するサブサンプリング（ｓｕｂｓａｍｐｌｉｎｇ）によって獲得した局所的特徴（ｌｏｃａｌ  ｆｅａｔｕｒｅ）に対してコンボリューション及びサブサンプリングを行い、獲得した特徴に対して再びコンボリューション及びサブサンプリングを行って特徴を獲得し、前記獲得した特徴に対して再びコンボリューション及びサブサンプリングを行う段階を繰り返し行って獲得したグローバル特徴（ｇｌｏｂａｌ  ｆｅａｔｕｒｅ）を一般的なニューラルネットワーク（ｆｕｌｌｙ  ｃｏｎｎｅｃｔｅｄ  ｎｅｔｗｏｒｋ）の入力として連結して最適の認識結果を出すようにすることができる。
【０１０９】
また、頭部イメージ分析装置１００は、例えばＣＮＮを用いてセグメンテーション（ｓｅｇｍｅｎｔａｔｉｏｎ）を実行することによって頭部イメージ上のランドマーク地点を抽出することができる。セグメンテーションは頭部イメージ上の意味ある部分を抽出する技法であり、公開の多様な方法のセグメンテーションをこの明細書に記載した実施例に適用することができる。例えば、ヒストグラムを用いてピクセルの分布を確認した後、適正な臨界値を設定してピクセル別に区分することができ、あるいは意味あるエッジ（ｅｄｇｅ）を抽出して区分することができ、また同質性（ｈｏｍｅｇｅｎｅｔｙ）を持っている領域に区分することができる。
【０１１０】
さらに他の実施例によれば、頭部イメージ分析装置１００は、頭部イメージ上の関心領域を抽出し、関心領域内のランドマーク地点と推測される第１地点を抽出することができる。関心領域抽出のために、頭部イメージ分析装置１００は、マシンラーニング、ディープラーニング又はＣＮＮを用いることができ、また前記関心領域内のランドマーク地点と推測される第１地点を抽出するために、マシンラーニング、ディープラーニング又はＣＮＮを用いることができる。
【０１１１】
さらに他の実施例によれば、頭部イメージ分析装置１００は、頭部イメージ上でウィンドウを移動させることによってウィンドウ内の領域を関心領域に設定し、関心領域内のランドマーク地点と推測される第１地点を抽出することができる。頭部イメージ上で抽出しようとするランドマーク地点がＮ個（Ｎは１以上の整数）であれば、頭部イメージ分析装置１００は、Ｎ個のランドマーク地点のそれぞれを抽出するために、関心領域内の第１地点を抽出する過程を各ランドマーク地点別に行ってＮ回実行することができる。
【０１１２】
一方、他の実施例によれば、頭部イメージ分析装置１００は、抽出しようとするランドマーク地点と推測される第１地点に対して、マシンラーニングを用いて抽出し、また幾何学的演算で抽出することができる。したがって、例えば、ランドマーク地点として下顎角点を抽出しようとするとき、頭部イメージ分析装置１００は、マシンラーニングと幾何学的演算のそれぞれによって抽出された地点の一地点を第１地点として抽出することができる。例えば、頭部イメージ分析装置１００は、マシンラーニングを用いて抽出したランドマーク地点の信頼度が所定値以下の場合、幾何学的演算で獲得した地点を第１地点として抽出することができる。
【０１１３】
一方、頭部イメージ分析装置１００は、識別された第１地点に対して検証を行うことができる。一実施例によれば、頭部イメージ分析装置１００は、マシンラーニング、ディープラーニング又はＣＮＮを用いて抽出したとき、抽出された第１地点に対して幾何学的演算によっても検証することができる。
【０１１４】
この際、マシンラーニング、ディープラーニング又はＣＮＮによって識別された第１地点を、幾何学的演算で抽出された第２地点と同じ位置であるかを判断して検証することができ、あるいはマシンラーニング、ディープラーニング又はＣＮＮによって抽出された第１地点の周辺地点又は器官構造が第２地点として位置するかを幾何学的に演算して検証することができる。例えば、外耳道の上縁中央点（Ｐｏｒ；ｐｏｒｉｏｎ）のランドマーク地点としての第１地点について、後頭蓋底（ｐｏｓｔｅｒｉｏｒ  ｃｒａｎｉａｌ  ｂａｓｅ  ｓｕｒｆａｃｅ）と顎状頭頸部（ｃｏｎｄｙｌａｒ  ｈｅａｄ  ｏｒ  ｎｅｃｋ）の交点（Ａｒ；ａｒｔｉｃｕｌａｒｅ）を第２地点に決定したとき、前記第１地点が前記第２地点の左側上端に位置しているかを検証し、それによる結果を信頼度で表現することができる。
【０１１５】
さらに、頭部イメージ分析装置１００は、関心領域を正しく設定したかを、マシンラーニング、ディープラーニング又はＣＮＮ又は幾何学的演算によって検証することができる。例えば、頭部イメージ分析装置１００は、マシンラーニングの検出（ｄｅｔｅｃｔｉｏｎ）によって抽出した関心領域が意図した関心領域であるかを前記関心領域のイメージを分類（ｃｌａｓｓｉｆｉｃａｔｉｏｎ）することによって検証するか信頼度で表現することができる。もしくは、例えば、頭部イメージ分析装置１００は、マシンラーニングの検出によって抽出した関心領域が意図した関心領域であるかを前記関心領域周辺の地点又は器官構造によって検証することができる。
【０１１６】
さらに他の実施例によれば、頭部イメージ分析装置１００は、抽出しようとするランドマーク地点に対して、幾何学的に抽出した第１地点を、マシンラーニング、ディープラーニング又はＣＮＮを用いて検証することができる。例えば、頭部イメージ分析装置１００は、頭部イメージに対してマシンラーニング、ディープラーニング又はＣＮＮを行って獲得した第２地点を基準に所定の半径内に第１地点が位置するかを判断して第１地点がランドマーク地点として適切であるかを検証することができる。
【０１１７】
仮に、上述した方法で検証を実行したとき、抽出されたランドマーク地点が意図したランドマーク地点ではないか、あるいは意図したランドマーク地点が全然抽出されなかった場合、頭部イメージ分析装置１００は、ランドマーク地点を再び抽出することができる。
【０１１８】
この際、頭部イメージ分析装置１００は、既存の頭部イメージに対してランドマーク地点を再び抽出することができる。もしくは、頭部イメージ分析装置１００は、既存の頭部イメージではない新しい頭部イメージを獲得し、新しい頭部イメージを分析してランドマーク地点を抽出することができる。このために、ローイメージから頭部イメージを再び獲得するか、頭部イメージに対する規格化を再び実行することができる。
【０１１９】
上述したように、マシンラーニングと幾何学的演算をともに実行することによって抽出されたランドマーク地点に対する正確性及び信頼性を高めることができる。一方、頭部イメージ分析装置１００は、上述したように頭部イメージ上のランドマーク地点を抽出すれば、ランドマーク地点に識別イメージを結合して分析イメージを生成することができる（Ｓ４３０）。
【０１２０】
すなわち、頭部イメージ分析装置１００は、頭部イメージを分析イメージに変更するとき、頭部イメージ上に識別イメージを合成することができ、前記識別イメージの合成時、ランドマーク地点に識別イメージを合成することができる。
【０１２１】
この際、頭部イメージ分析装置１００は、同じ形状を有する識別イメージをランドマーク地点に合成することができる。
【０１２２】
もしくは、頭部イメージ分析装置１００は、識別イメージを複数記憶し、ランドマーク地点の位置によって合成される識別イメージを異にすることができる。
【０１２３】
一方、頭部イメージ分析装置１００は、分析イメージを使用者に提供することができる（Ｓ４４０）。
【０１２４】
さらに、頭部イメージ分析装置１００は、分析イメージを含むレポートを提供するかを決定することができる（Ｓ４５０）。
【０１２５】
例えば、頭部イメージ分析装置１００は、使用者がレポートを受けることを要請する場合に限り、レポートを提供することができる。
【０１２６】
さらに他の例によれば、頭部イメージ分析装置１００は、分析イメージを含むレポートの提供をシステム内でデフォルトに決定し、レポートを提供することができる。
【０１２７】
また、頭部イメージ分析装置１００は、例えば、所定の臨界値以上の値を有する分析イメージについてのみレポートを提供することができ、例えば特定地点が一般的に表示される所定の範囲外の位置に、前記特定地点に対応する識別イメージが表示される頭部を有する患者の分析イメージに限り、レポートを提供することができる。
【０１２８】
このように、頭部イメージ分析装置１００がレポートを提供することを決定すれば、分析イメージをそのまま含ませるか分析イメージを加工してレポートを生成して提供することができる（Ｓ４６０）。
【０１２９】
ここで、一実施例によれば、頭部イメージ分析装置１００は、分析イメージそのものがレポートの一部を構成するようにレポートを生成して提供することができる。
【０１３０】
さらに他の実施例によれば、頭部イメージ分析装置１００は、分析イメージを加工したレポートを提供することができる。
【０１３１】
一方、さらに他の実施例による頭部イメージ分析方法によれば、頭部イメージ分析装置１００は、頭部イメージを獲得するに先立ってローイメージを受信してランドマーク地点を抽出することができる。これについては図６を参照して後述する。
【０１３２】
頭部イメージ分析装置１００は、図６に示したように、ローイメージに対する前処理を実行することができる（Ｓ６１０）。すなわち、頭部イメージ分析装置１００は、ローイメージに対してＣＬＡＨＥパラメーターを適用するか、ガウスブラーを適用するか、ワーピングを適用することができ、あるいはＸ軸及び／又はＹ軸にスケーリングするか学習イメージを縮小又はクロップ（ｃｒｏｐ）するか、画素値などを変更して解像度を高めることによってローイメージに対する前処理を実行することができる。
【０１３３】
そして、頭部イメージ分析装置１００は、ローイメージから頭部イメージを獲得することができる（Ｓ６２０）。
【０１３４】
頭部イメージ獲得のための一実施例によれば、頭部イメージ分析装置１００は、分析対象として入力されたローイメージ上の所定の領域内に所定の識別子が位置しているかを探索することができる。
【０１３５】
例えば、ローイメージ上の所定の領域内に「眼窩」と認識される識別子が位置するかを探索することができる。この際、頭部イメージ分析装置１００は、ローイメージ上に任意のサイズ及び形状を有する閉曲線形のウィンドウ内の領域を所定の領域に設定することができ、前記ウィンドウはローイメージ上を移動しながら多様な範囲の領域を設定することができる。
【０１３６】
また、例えば、頭部イメージ分析装置１００は、ウィンドウ内の所定の領域内に所定の識別子が位置するかを探索するために、マシンラーニング（又はディープラーニング又はＣＮＮ）を用いることができる。例えば、頭部イメージ分析装置１００は、所定の領域に対してＣＮＮを行って前記領域内の識別子が位置する座標を抽出することができる。前記座標は所定の領域内の座標であってもよく、ローイメージ上の座標であってもよい。
【０１３７】
このように、ローイメージ上の所定の識別子に対する座標を抽出した頭部イメージ分析装置１００は、抽出した座標に基づいて頭部イメージを獲得することができる。
【０１３８】
例えば、ローイメージが患者の上体を撮ったｘ−ｒａｙイメージであれば、頭部イメージ分析装置１００は、ローイメージにおいて頭部イメージに特定することができる「眼窩」、「下顎骨」及び「鼻腔」の３個の識別子を抽出することができる。３個の識別子を抽出するために、頭部イメージ分析装置１００は、ウィンドウを移動させながら識別子に対応する座標を抽出することができる。そして、抽出された座標に基づいて頭部イメージと判断される領域をローイメージ上に設定することにより、頭部イメージ分析装置１００は頭部イメージを獲得することができる。例えば、頭部イメージ分析装置１００は、前記３個の識別子を含むとともに各識別子から所定の範囲を含む領域を頭部イメージに設定することができる。
【０１３９】
頭部イメージ分析装置１００は、獲得した頭部イメージに対して規格化処理を行うことにより、ランドマーク地点が容易に抽出されるように頭部イメージを加工することができる。例えば、頭部イメージ分析装置１００は、頭部イメージの解像度、明るさなどを変更するか頭部イメージのサイズを拡大するか縮小するなどの規格化処理を実行することができる。もしくは、例えば、頭部イメージ分析装置１００は、小児の頭部イメージの場合、頭部イメージを拡大スケーリングし、頭が大きな患者の頭部イメージの場合、頭部イメージを縮小スケーリングすることができる。
【０１４０】
上述したように、頭部イメージ分析装置１００は、頭部イメージを獲得することができ、前記頭部イメージに対してランドマーク候補地点を抽出することができる（Ｓ６３０）。
【０１４１】
ランドマーク候補地点はランドマーク地点として抽出された地点であると検証される前の地点を意味する。
【０１４２】
ランドマーク候補地点の抽出のために、頭部イメージ分析装置１００は、頭部イメージ上の関心領域を抽出し、関心領域内のランドマーク候補地点を抽出することができる。関心領域抽出のために、頭部イメージ分析装置１００は、マシンラーニング（又はディープラーニング又はＣＮＮ）を用いることができ、また前記関心領域内のランドマーク候補地点を抽出するためにマシンラーニング（又はディープラーニング又はＣＮＮ）を用いることができる。
【０１４３】
関心領域は頭部イメージ上でウィンドウが移動するか固定地点に位置することによって設定することができる。
【０１４４】
頭部イメージ上で抽出しようとするランドマーク地点がＮ個（Ｎは１以上の整数）であれば、頭部イメージ分析装置１００は、Ｎ個のランドマーク地点のそれぞれを抽出するために、関心領域を設定しながら関心領域内のランドマーク候補地点を抽出する段階をＮ回実行することができる。この際、頭部イメージ分析装置１００は、頭部イメージの特定位置にランドマーク地点が位置すると推定される場合、ウィンドウを前記特定位置に固定させてランドマーク候補地点を抽出することができる。例えば、顎の周辺に位置するランドマーク地点の場合、頭部イメージ分析装置１００は顎を含む領域を関心領域に設定し、前記関心領域内でランドマーク候補地点を抽出することができる。
【０１４５】
頭部イメージ分析装置１００は、抽出されたランドマーク候補地点に対して検証することができる（Ｓ６４０）。
【０１４６】
一実施例によれば、頭部イメージ分析装置１００は、幾何学的演算をともに実行することにより、マシンラーニング（又はディープラーニング又はＣＮＮ）を用いて獲得されたランドマーク地点が決定された位置を外れたかを検証することができる。さらに他の実施例によれば、頭部イメージ分析装置１００は、外耳道の上縁中央点（Ｐｏｒ）又はＡ点（ｐｏｉｎｔ  Ａ；頭部の側面上で決定される地点であり、鼻の前端から上顎翼状突起隆に至る曲がった谷部の最も突出した部分）がランドマーク地点として正しく抽出されたかを検証することにより、抽出されたランドマーク候補地点が正しく抽出されたかを検証することができる。
【０１４７】
上述した検証によって抽出されたランドマーク候補地点が正しく抽出された地点ではないか、あるいは抽出されたランドマーク候補地点を全て検証しても意図したランドマーク地点がない場合、頭部イメージ分析装置１００は、ローイメージから頭部イメージを再び獲得するか、獲得した頭部イメージに対して規格化を再び行って新しい頭部イメージを獲得し、新しい頭部イメージに対してランドマーク候補地点を再び抽出して検証を実行することができる。すなわち、段階Ｓ６２０〜段階Ｓ６４０を再び行って正確なランドマーク地点を抽出することができる。
【０１４８】
一方、頭部イメージ分析装置１００は、上述したように頭部イメージ上のランドマーク地点を抽出すれば、ランドマーク地点に識別イメージを結合して分析イメージを生成することによって分析イメージ又はレポートを提供することができる。これに関しては、図４の各段階の同じ図面符号についての説明と同一であるので、図６の段階Ｓ４３０〜Ｓ４６０についての説明は省略する。
【０１４９】
図７及び図８は頭部イメージ分析装置１００がレポートを提供することを示す例示図である。
【０１５０】
例えば、分析イメージ上に表示した識別イメージの間を線分で連結して患者の頭部状態を直観的に示すことができる。例えば、患者の頭部上の歯槽下顎切歯（ｄｅｎｔａｌ  ｖｅｌａｒ−ｌｏｗｅｒ  ｉｎｃｉｓｏｒ）を分析するために、図8に示したように、識別イメージの間を線分で連結して患者の頭部上の下歯状態を分析したレポートを提供することができる。
【０１５１】
また、分析イメージ上に表示された識別イメージのそれぞれに対応する情報をともに示す方法で使用者にレポートを提供することができる。例えば、識別イメージを活用して頭部を計測した結果値を提供することができ、図8に示したように、患者の切歯間角度（ｉｎｔｅｒｉｎｃｉｓａｌ  ａｎｇｌｅ）を演算して平均値とともに表示することができる。
【０１５２】
また、例えば、図7に示したように、分析イメージ上にさらに他のイメージを合成したイメージを含むレポートを提供することができる。
【０１５３】
以上の実施例で使われる「〜部」という用語はソフトウェア又はＦＰＧＡ（ｆｉｅｌｄ  ｐｒｏｇｒａｍｍａｂｌｅ  ｇａｔｅ  ａｒｒａｙ）又はＡＳＩＣのようなハードウェア構成要素を意味し、「〜部」は特定の役割を実行する。しかし、「〜部」はソフトウェア又はハードウェアに限定される意味ではない。「〜部」はアドレスすることができる記憶媒体にあるように構成されることもでき、一つ又はそれ以上のプロセッサを再生させるように構成されることもできる。したがって、一例として、「〜部」はソフトウェア構成要素、オブジェクト指向ソフトウェア構成要素、クラス構成要素及びタスク構成要素のような構成要素と、プロセス、関数、属性、プロシージャ、サブルーチン、プログラム特許コードのセグメント、ドライバー、ファームウエア、マイクロコード、回路、データ、データベース、データ構造、テーブル、アレイ、及び変数を含む。
【０１５４】
構成要素と「〜部」内で提供される機能はもっと小さい数の構成要素及び「〜部」として結合されるか追加的な構成要素と「〜部」から分離されることができる。
【０１５５】
それだけでなく、構成要素及び「〜部」はデバイス又は保安マルチメディアカード内の一つ又はそれ以上のＣＰＵを再生させるように具現されることもできる。
【０１５６】
図４〜図６で説明した実施例によるイメージ分析方法はコンピュータによって実行可能な命令語及びデータを記憶する、コンピュータ可読の媒体の形態にも具現されることができる。ここで、命令語及びデータはプログラムコードの形態で記憶されることができ、プロセッサによって実行されたとき、所定のプログラムモジュールを生成して所定の動作を実行することができる。また、コンピュータ可読の媒体はコンピュータによってアクセス可能な任意の可用媒体であってもよく、揮発性及び不揮発性媒体、分離型及び非分離型媒体の全てを含む。また、コンピュータ可読の媒体はコンピュータ記録媒体であってもよい。コンピュータ記録媒体はコンピュータ可読の命令語、データ構造、プログラムモジュール又はその他のデータのような情報の記憶のための任意の方法又は技術によって具現された揮発性及び不揮発性、分離型及び非分離型媒体の全てを含むことができる。例えば、コンピュータ記録媒体はＨＤＤ及びＳＳＤなどのマグネチック記憶媒体、ＣＤ、ＤＶＤ及びブルーレイディスクなどの光学的記録媒体、又はネットワークを介してアクセス可能なサーバーに含まれるメモリであってもよい。
【０１５７】
また、図４〜図６に基づいて説明した実施例によるイメージ分析方法はコンピュータによって実行可能な命令語を含むコンピュータプログラム（又はコンピュータプログラム製品）によって具現されることもできる。コンピュータプログラムはプロセッサによって処理されるプログラミング可能な機械命令語を含み、高レベルプログラミング言語（Ｈｉｇｈ−ｌｅｖｅｌ  Ｐｒｏｇｒａｍｍｉｎｇ  Ｌａｎｇｕａｇｅ）、オブジェクト指向プログラミング言語（Ｏｂｊｅｃｔ−ｏｒｉｅｎｔｅｄ  Ｐｒｏｇｒａｍｍｉｎｇ  Ｌａｎｇｕａｇｅ）、アセンブリー言語又は機械言語などによって具現されることができる。また、コンピュータプログラムは類型のコンピュータ可読の記録媒体（例えば、メモリ、ハードディスク、磁気／光学媒体又はＳＳＤ（Ｓｏｌｉｄ−Ｓｔａｔｅ  Ｄｒｉｖｅ）など）に記録されることができる。
【０１５８】
したがって、図４〜図６に基づいて説明した実施例によるイメージ分析方法は、上述したようなコンピュータプログラムがコンピュータ装置によって実行されることによって具現されることができる。コンピュータ装置は、プロセッサと、メモリと、記憶装置と、メモリ及び高速拡張ポート接続している高速インターフェースと、低速バスと記憶装置に接続している低速インターフェースの少なくとも一部を含むことができる。このような成分のそれぞれは多様なバスを用いて互いに接続されており、共通マザーボードに搭載されるか又は他の適切な方式で装着されることができる。
【０１５９】
ここで、プロセッサはコンピュータ装置内で命令語を処理することができる。このような命令語としては、例えば高速インターフェースに接続されたディスプレイのように外部入力、出力装置上にＧＵＩ（Ｇｒａｐｈｉｃ  Ｕｓｅｒ  Ｉｎｔｅｒｆａｃｅ）を提供するためのグラフィック情報を表示するためにメモリ又は記憶装置に記憶された命令語を挙げることができる。他の実施例として、多数のプロセッサ及び（又は）多数のバスが適切に多数のメモリ及びメモリ形態とともに用いられることができる。また、プロセッサは独立的な多数のアナログ及び（又は）デジタルプロセッサを含むチップが成すチップセットによって具現されることができる。
【０１６０】
また、メモリはコンピュータ装置内に情報を記憶する。一例として、揮発性メモリユニット又はその集合からなることができる。他の例として、不揮発性メモリユニット又はその集合からなることができる。また、メモリは、例えば磁気又は光ディスクのような他の形態のコンピュータ可読の媒体であってもよい。
【０１６１】
そして、記憶装置はコンピュータ装置に大容量の記憶空間を提供することができる。記憶装置はコンピュータ可読の媒体であるか、このような媒体を含む構成であってもよく、例えばＳＡＮ（Ｓｔｏｒａｇｅ  Ａｒｅａ  Ｎｅｔｗｏｒｋ）内の装置又は他の構成も含むことができ、フロッピーディスク装置、ハードディスク装置、光ディスク装置、又はテープ装置、フラッシュメモリー、それと類似した他の半導体メモリ装置又は装置アレイであってもよい。
【０１６２】
上述した実施例は例示のためのものであり、上述した実施例が属する技術分野の通常の知識を有する者は、上述した実施例が有する技術的思想又は必須な特徴を変更せずに他の具体的な形態に容易に変形可能であることを理解することができる。したがって、上述した実施例は全ての面で例示的なものであり、限定的なものではないことを理解しなければならない。例えば、単一型として説明した各構成要素は分散されて実施されることもでき、同様な分散されたものとして説明した構成要素も結合形態で実施されることができる。
【０１６３】
本明細書で保護を受けようとする範囲は前記詳細な説明よりは後述する特許請求範囲によって決定され、特許請求範囲の意味及び範囲そしてその均等の概念から導出される全ての変更又は変形の形態を含むものに解釈されなければならない。
【符号の説明】
【０１６４】
１００    頭部イメージ分析装置
１１０    制御部
１２０    メモリ
１３０    入出力部
１４０    通信部
【図１】
2020006152.tif 000003
【図２】
2020006152.tif 000004
【図３】
2020006152.tif 000005
【図４】
2020006152.tif 000006
【図５】
2020006152.tif 000007
【図６】
2020006152.tif 000008
【図７】
2020006152.tif 000009
【図８】
2020006152.tif 000010